(57)【特許請求の範囲】
【請求項１】
チャイルド・シート装置であって、自動車シートの上に装着されるように構成されている少なくとも１つのシート・ベース・モジュール（１２）と、該シート・ベース・モジュール（１２）を自動車シートの１つのメンバ構造と連結するように構成されている少なくとも１つの取付けモジュール（４４）と、１つのインターナル・ベルト・システム（３０）と、を有するチャイルド・シート装置において、前記取付けモジュール（４４）と前記インターナル・ベルト・システム（３０）の同時使用を阻止するように設けられている少なくとも１つの固定装置（６６）を特徴とする、チャイルド・シート装置。
【請求項２】
前記インターナル・ベルト・システム（３０）が使用位置にある運用状態においては、前記取付けモジュール（４４）を非使用位置にロックするように、前記固定装置（６６）が設けられていることを特徴とする、請求項１に記載のチャイルド・シート装置。
【請求項３】
前記固定装置（６６）に少なくとも１つの収納領域（６８）が含まれており、該収納領域（６８）の内部に前記インターナル・ベルト・システム（３０）の少なくとも１つの部品を収納可能であることを特徴とする、請求項１または２に記載のチャイルド・シート装置。
【請求項４】
前記固定装置（６６）に少なくとも１つのロッキング要素（７４）が含まれており、前記収納領域（６８）の内部に配置される前記インターナル・ベルト・システム（３０）の前記少なくとも１つの部品により、前記ロッキング要素（７４）を作動可能であることを特徴とする、請求項３に記載のチャイルド・シート装置。
【請求項５】
前記インターナル・ベルト・システム（３０）の前記少なくとも１つの部品が前記収納領域（６８）の内部に適正に配置されている運用状態においてはロック解除位置をとるように、前記ロッキング要素（７４）が構成されていることを特徴とする、請求項４に記載のチャイルド・シート装置。
【請求項６】
前記インターナル・ベルト・システム（３０）の前記少なくとも１つの部品が前記収納領域（６８）の内部に適正に配置されていない運用状態においてはロック位置をとるように、前記ロッキング要素（７４）が構成されていることを特徴とする、請求項４に記載のチャイルド・シート装置。
【請求項７】
前記固定装置（６６）に少なくとも１つのカバー要素（７０）が含まれており、閉止状態においては前記収納領域（６８）を覆い、開放状態においては該収納領域（６８）を露出させるように、前記カバー要素（７０）が構成されていることを特徴とする、請求項３に記載のチャイルド・シート装置。
【請求項８】
前記固定装置（６６）に少なくとも１つのブロック要素（７２）が含まれており、少なくとも１つの運用状態においては前記カバー要素（７０）をロックするように、該ブロック要素（７２）が構成されていることを特徴とする、請求項７に記載のチャイルド・シート装置。
【請求項９】
請求項１乃至８のいずれか１項に記載のチャイルド・シート装置を備えたチャイルド・シート。
【発明の詳細な説明】
【技術分野】
【０００１】
本発明は、請求項１の前段部分に記載のチャイルド・シート装置に関する。
【背景技術】
【０００２】
自動車シートの上に装着されるように構成されている少なくとも１つのシート・ベース・モジュールと、このシート・ベース・モジュールを自動車シートのメンバ構造に連結するように構成されている少なくとも１つの取付けモジュールと、１つのインターナル・ベルト・システムとを有するチャイルド・シート装置がすでに提案されている。
【先行技術文献】
【特許文献】
【０００３】
【特許文献１】独国特許発明第６９５１４７６６号明細書
【特許文献２】独国特許発明第６０００２１１８号明細書
【特許文献３】独国特許出願公開第１０２００４００７７８７号明細書
【特許文献４】米国特許出願公開第２０１５／１０８８００号明細書
【特許文献５】独国特許出願公開第１０１２１１２３号明細書
【発明の概要】
【発明が解決しようとする課題】
【０００４】
本発明の課題は特に、安全性および使い易さに関して特性が向上したこの種の装置を提供することにある。この課題は、本発明によれば、請求項１の特徴により解決される一方で、従属請求項からは、本発明の有利な構成形態および展開構成例を読み取ることができる。
【課題を解決するための手段】
【０００５】
本発明は、自動車シートの上に装着されるように構成されている少なくとも１つのシート・ベース・モジュールと、このシート・ベース・モジュールを自動車シートのメンバ構造に連結するように構成されている少なくとも１つの取付けモジュールと、１つのインターナル・ベルト・システムとを有するチャイルド・シート装置を前提技術としてなされたものである。
【０００６】
取付けモジュールとインターナル・ベルト・システムの同時使用を阻止するように意図されている少なくとも１つの固定装置をこのチャイルド・シート装置に備えることが提案される。「チャイルド・シート装置」とは、ここでは特に、自動車内に装着されるように意図されているチャイルド・シートの少なくとも一部またはチャイルド・シート全体を構成する装置のことであると解釈されるものであるが、このチャイルド・シートに座らせたおよび／または寝かせた状態で子供および／または幼児を安全に輸送できるようになっている。「シート・ベース・モジュール」とは、ここでは特に、好適にはチャイルド・シートのシート・ボトム・ユニットの少なくとも一部を構成している、チャイルド・シートに作用する外力を自動車のメンバ構造へと誘導するように意図されている、チャイルド・シートの支持モジュールのことであると解釈されるものである。「自動車シート」とは、ここでは特に自動車内に固定式に配設された、走行中に乗員が着席することができる乗員用シートのことであると解釈されるものである。そこではこの自動車シートが有利となるように自動車のシート列の一部として構成されたものであってもかまわない。「装着」とは、ここでは特に、安全な輸送のためにチャイルド・シートを自動車内で固定することができるように、自動車シートに接しておよび／または自動車シートの上に所定の方式で配置されることであると解釈されるものである。自動車シート上のチャイルド・シートを高信頼度で装着するためには、車両内のベルトと取付けモジュールとを併用してチャイルド・シートを取り付けることによって、自動車内におけるチャイルド・シートの安定性および／または正確なポジショニングが保証されるか、または向上するようにしてもよい。「取付けモジュール」とは、ここでは特に、チャイルド・シートを自動車シートに装着するために少なくとも１つの形状係合要素を包含しており、この形状係合要素が、自動車シートに装着するために、自動車シートのメンバ構造のこれに対応するように構成された形状係合要素と形状係合するように意図されているモジュールのことであると解釈されるものである。その際にこの取付けモジュールは、自動車内におけるチャイルド・シートの安定性および／または正確なポジショニングを向上または保証するように意図されていると好適である。「メンバ構造」とは、ここでは特に、チャイルド・シートに作用する外力を誘導できるようにするために利用される、自動車シートのメンバ構造および／または自動車のメンバ構造であると解釈されるものである。「連結」とは、ここでは特に、チャイルド・シートの自動車シートへの結合状態の信頼性を高めるために利用される接続様式であると解釈されるものである。ここでは「連結」とは特に、形状係合および／または摩擦係合を利用した少なくとも１つの接続部を介して固定式に剛結されることであると解釈されるものである。「インターナル・ベルト・システム」とは、ここでは特に、とりわけ１８ｋｇ未満および／または身長１０５ｃｍ未満の幼児を固定するように意図されている、チャイルド・シートに固定式に接続された、幼児用として意図されたベルト・システムであると解釈されるものである。そこではこのインターナル・ベルト・システムが、互いに接続された複数のストラップを含み、これらのストラップを、子供を固定するために１つの共通のベルト・バックルを介して互いに接続できるようになっている、５点式ベルト・システムであると好適である。基本的にはほかにも、このインターナル・ベルト・システムを３点式ベルト・システムとして、６点式ベルト・システム、または身体拘束システムとして構成することも考えられる。その際にこのインターナル・ベルト・システムは、特に、車両内に固定式に組み込まれている外部の車両側ベルト・システムとは異なっている。「意図されている」とは、特に専用に設計および／または装備されていると解釈されるものである。ある１つの物体がある１つの特定の機能用として意図されている、とは特に、この物体が、少なくとも１つの適用状態および／または動作状態にあるときには、この特定の機能を履行および／または実施することであると解釈されるものである。「安全装置」とは、ここでは特に、ユニットおよび／またはモジュールの規定外のおよび／または危険な利用を阻止するように意図されている装置のことであると解釈されるものである。本発明にしたがった構成方式により、有利なことにもインターナル・ベルト・システムおよび／または取付けシステムの誤使用を阻止可能なチャイルド・シートを提供することができる。それにより特にチャイルド・シートの安全性を向上させることができて有利である。
【０００７】
さらに、インターナル・ベルト・システムが使用位置にあるような運用状態においては、取付けモジュールを非使用位置にロックするように固定装置が意図されていることが提案される。「使用位置」とは、ここでは特に、モジュールおよび／またはシステム、特に取付けモジュールおよび／またはベルト・システムなどがこの位置にあるときには、これらを相応に意図されている方式で利用することができるという位置であると解釈されるものである。取付けモジュールが使用位置にあるときには、取付けモジュールを介してチャイルド・シートを自動車シートに結合することができる。インターナル・ベルト・システムが使用位置にあるときには、インターナル・ベルト・システムを利用してチャイルド・シートに座っている子供にチャイルド・シート内でベルトを着用させることにより、子供を固定することができる。「非使用位置」とは、ここでは特に、モジュールおよび／またはシステム、特に取付けモジュールおよび／またはベルト・システムなどがこの位置にあるときには、これらを相応に意図されている方式で利用することが不可能となるという位置であると解釈されるものである。取付けモジュールが非使用位置にあるときには、チャイルド・シートを自動車シートに取付けモジュールを利用して結合することは不可能である。インターナル・ベルト・システムが非使用位置にあるときには、インターナル・ベルト・システムを介してチャイルド・シートに座っている子供にチャイルド・シート内でベルトを着用させることにより子供を固定することは不可能である。それにより有利なことにも、インターナル・ベルト・システムの使用中に、取付けモジュールがチャイルド・シートを取り付けるために使用されてしまうことを簡単に阻止することができる。
【０００８】
ほかにも、固定装置に少なくとも１つの収納領域が含まれており、その内部にインターナル・ベルト・システムの少なくとも１つの部品を収納可能であることが提案される。「収納領域」とは、ここでは特に、運用状態にあるときには、要素および／またはモジュールを、そのために意図されている方式で内部に収納可能な領域であると解釈されるものである。「ベルト・システムの部品」とは、ここではベルト・システムの構成部品、例えば特に、ストラップ、タング・プレートおよび／またはとりわけベルト・バックルなどの少なくとも１つの部品であると解釈されるものである。「収納可能」とは、ここでは特に、少なくとも部分的にその内部に配置されることであると解釈されるものである。それにより、非使用時にはベルト・システムを特に有利に、かつ、利用者およびチャイルド・シート上に座っている子供の邪魔にならないように収納することができる。
【０００９】
さらにその上に、固定装置に少なくとも１つのロッキング要素が含まれており、収納領域の内部に配置されたベルト・システムの部品によりこれを作動可能であることが提案される。「ロッキング要素」とは、ここでは特に、少なくとも１つの動作状態においては、さらにもう１つの要素を定義済みの位置にロックする要素のことであると解釈されるものである。そこではこのロッキング要素が少なくとも２つの動作状態を有していると好適であるが、ロッキング要素は、これらの動作状態において少なくとも２つの異なる位置をとることになる。ロッキング要素は、第１の動作状態においてはロック位置に配置されており、この位置においてはさらにもう１つの要素がロッキング要素によりロックされるようになっている。ロッキング要素は、第２の動作状態においてはロック解除位置に配置されており、この位置においてはさらにもう１つの要素がロッキング要素によりロックされることなく、それによって定義済みの範囲内で運動できるようになっている。それにより固定装置を特に簡単に作動させることができる。
【００１０】
それに加えて、ベルト・システムの少なくとも１つの部品が収納領域の内部に適正に配置されているような動作状態においてはロック解除位置をとるようにロッキング要素が意図されていることが提案される。「適正に配置された状態」とは、ここでは特に、要素、例えば特に、ベルト・システムの１つの部品、好適にはベルト・バックルが、そのために意図されている方式で収納領域の内部に配置されている状態のことであると解釈されるものである。「ロック解除位置」とは、ここでは特に、ロッキング要素を介してロックすることができる要素をロッキング要素が解放することによって、この要素が、そのために意図されている定義済みの範囲内で運動可能であるように、ロッキング要素が配置されている、ロッキング要素の位置のことであると解釈されるものである。それによりロッキング要素を特に簡単かつ有利に作動させることができる。
【００１１】
さらにその上に、ベルト・システムの少なくとも１つの部品が収納領域の内部に適正に配置されていないような動作状態においてはロック位置をとるようにロッキング要素が意図されていることが提案される。「収納領域の内部に適正に配置されていない状態」とは、ここでは特に、要素、例えば特にベルト・システムの１つの部品、好適にはベルト・バックルが、そのために意図されている方式で収納領域の内部に配置されていない状態のことであると解釈されるものであるが、このときには、チャイルド・シートに座っている子供をチャイルド・シート内に固定するために、ベルト・システムを好適にはそのために意図されている方式で利用できるようになっている。「ロック位置」とは、ここでは特に、ロッキング要素を介してロックすることができる要素をロッキング要素がブロッキングすることによって、この要素が、そのために意図されている定義済みの範囲内で運動することが不可能となるように、ロッキング要素が配置されている、ロッキング要素の位置のことであると解釈されるものである。ロック位置とは、ここでは特に、ロック対象である要素がブロッキングされており、この要素に予期されている方式で運動することが不可能な位置のことであると解釈されるものである。それによりベルト・システムが使用されるような状態においては、このロッキング要素を有利に、かつ、簡単にロックすることができる。
【００１２】
それ以外にも、固定装置に少なくとも１つのカバー要素が含まれており、このカバー要素が少なくとも、閉止状態にあるときには収納領域を覆い、開放状態にあるときには収納領域を露出させるように意図されていることが提案される。「カバー要素」とは、ここでは特に、少なくとも２つの状態間、例えば特に閉止状態と開放状態間で調節可能である、例えばカバー、特に薄肉のカバーなどの要素のことであると解釈されるものである。そこではこのカバー要素が、開放状態にあるときには開放位置にある。このカバー要素は、閉止状態にあるときには閉止位置にある。そこではこのカバー要素が可動式に支承されていると好適である。このカバー要素は、そこでは特に揺動可能および／または回転可能に支承されており、閉止位置と開放位置との間で可倒式となっている。基本的には同様に、直線変位によりカバー要素を閉止位置と開放位置間で調節できるようにすることも考えられ得る。基本的にはほかにも、揺動と直線変位とを組み合わせた運動とすることも考えられ得る。基本的にはさらに、カバー要素が１つのリニア・ガイドを介して開放状態と閉止状態間で変位されることも考えられ得る。基本的にはほかにも、カバー要素が、閉止状態にあるときには、少なくとも１つの形状係合要素および／または摩擦係合要素を介して、覆い隠されることになる要素に結合されており、開放状態にあるときには、この要素から少なくとも部分的に切り離されていることも考えられ得る。その際には、このカバー要素が、１つの固定テープを介して、覆い隠されることになる要素に接続されていることも考えられ得る。それにより、収納領域を特に有利に覆い隠すことができる。
【００１３】
さらに、このカバー要素を、少なくとも１つの動作状態においてはロックするように意図されている、少なくとも１つのブロック要素が固定装置に含まれることが提案される。「ブロック要素」とは、ここでは特に、ロック状態においては、別の要素、例えば特にカバー要素をロックして、ロック解除状態においてはこれを解放する要素のことであると解釈されるものである。それにより、ある１つの動作状態においては、特に取付けモジュールが使用位置にあるような状態においては、カバー要素がロックされることによって、収納領域の内部に配置されているベルト・システムのベルト・バックルが動かないように固定されるようにしてもよい。
【００１４】
これについて、本発明にしたがったチャイルド・シート装置は、上述の適用および実施形態に限定されるものではない。特にここに説明される作動方式を履行するために、本発明にしたがったチャイルド・シート装置に備えられる個々の要素、構成部品およびユニットの数は、ここに指摘される数とは異なっていてもかまわない。
【００１５】
さらに別の長所は、以下の図面の説明から明らかにされる。図面には、本発明の１つの実施例が描かれている。これらの図面、発明の詳細な説明および特許請求の範囲には、数多くの特徴が組み合わされた状態で含まれている。当業者は、これらの特徴を目的に応じて個別にも検討して、有意な他の組み合わせにまとめ直すこともあるだろう。
【図面の簡単な説明】
【００１６】
【図１】本発明にしたがったチャイルド・シート装置を、部分的に解体して示されるチャイルド・シートとともに示す概略図。
【図２】取付け装置が非使用位置にあるチャイルド・シートの概略的な側面図。
【図３】取付け装置が使用位置にあるチャイルド・シートの概略的な側面図。
【図４】インターナル・ベルト・システムが使用位置にあるチャイルド・シートを、内部に配置される固定装置をより良く示すために一部の要素を取り外して示す略図。
【図５】別の角度から見たときの、固定装置のさらにもう１つの略図。
【図６】別の角度から見たときの、固定装置のさらにもう１つの略図。
【発明を実施するための形態】
【００１７】
図１から図６には本発明にしたがったチャイルド・シート装置の１つの実施例が示される。チャイルド・シート装置は、チャイルド・シート１０の部材である。このチャイルド・シート１０は、自動車用チャイルド・シートとして構成されている。チャイルド・シート１０は、自動車内において装着されるように意図されている。チャイルド・シート１０は、その際には自動車シートまたは自動車ベンチシートの上に配置されるように意図されている。チャイルド・シート１０は、体重が９ｋｇから３６ｋｇまで、および／または身長が７４ｃｍから１５０ｃｍまでの子供を、自動車内でチャイルド・シートの中で安全に輸送可能であるように意図されている。
【００１８】
チャイルド・シート装置は、１つのシート・ベース・モジュール１２を有している。このシート・ベース・モジュール１２は、自動車シートの上に装着されるように意図されている。シート・ベース・モジュール１２は、シート・ベース・モジュール１２を自動車内で適正に配置された状態で自動車シートまたは自動車ベンチシートの上に載置するために利用される１つの下面を有している。シート・ベース・モジュール１２は、１つのメンバ構造１４を有している。シート・ベース・モジュール１２のこのメンバ構造１４は、チャイルド・シート１０に導入される外力を、そこから自動車シートまたは自動車ベンチシートへと誘導できるようにするために利用される、シート・ベース・モジュール１２の１つの構造体を形成している。そこではこのメンバ構造１４が、金属製の互いに接合された要素から形成されていると好適である。基本的にはほかにも、メンバ構造１４を別の材料から、または様々な他の材料を組み合わせたものから形成することも考えられ得る。シート・ベース・モジュール１２は、１つのハウジング１６を有している。シート・ベース・モジュール１２は、このハウジング１６により外部に対して閉止されている。そこではこのハウジング１６が、少なくとも実質的に閉じているように構成されていると好適である。ハウジング１６はプラスチック製である。そこでは、張り渡されたハウジング１６により形成される内部空間に、シート・ベース・モジュール１２の少なくともメンバ構造１４が配置されている。
【００１９】
チャイルド・シート１０は、１つのシート・ボトム１８を有している。このシート・ボトム１８は、チャイルド・シート１０に座る子供が腰かけることができる１つの座部領域２０を提供するように意図されている。シート・ボトム１８は、シート・ベース・モジュール１２の上面に配置されている。そこではこのシート・ボトム１８が、シート・ベース・モジュール１２に固定して接続されている。基本的にはそれと全く同様に、シート・ボトム１８をシート・ベース・モジュール１２と一体式に構成することも考えられ得る。チャイルド・シート１０は、シート・ボトム１８の上に配置されて座部領域２０を構成する１つのクッション要素を有している。シート・ボトム１８の両側の領域には、アーム・レスト２２、２４が構成されている。チャイルド・シート１０はさらに１つのバック・レスト２６を有している。このバック・レスト２６は、シート・ボトム１８の後側の端部に配設されている。バック・レスト２６は、その下側の端部のところでシート・ボトム１８のこの後側の端部に連結されている。そこではバック・レスト２６とシート・ボトム１８とが互いに剛結されている。基本的には同じく、バック・レスト２６をシート・ボトム１８に対して少なくとも部分的に可動であるように構成することも考えられ得る。その場合は特に、チャイルド・シート１０の異なるシート・ポジションを構成するために、バック・レスト２６を、定義済みのリクライニング角度分だけ倒すことができるように、シート・ボトム１８に連結することも考えられ得る。バック・レスト２６は、チャイルド・シート１０に座っている子供がその背中をもたせかけることができる背もたれ領域２８を構成している。バック・レスト２６は、下側のシート・ボトム１８と向き合っている領域から、上側に向かってシート・ベース・モジュール１２から遠ざかるように延びている。
【００２０】
チャイルド・シート装置には、１つのインターナル・ベルト・システム３０が含まれている。このインターナル・ベルト・システム３０は、チャイルド・シート１０に組み込まれた１つのベルト・システムとして構成されている。インターナル・ベルト・システム３０は、５点式ベルト・システムとして構成されている。基本的にはほかにも、インターナル・ベルト・システムを、当業者には有意であると思われるそれ以外のベルト・システムとして構成することも考えられ得る。インターナル・ベルト・システム３０は、比較的小さな子供をチャイルド・シート１０内に固定するように意図されている。インターナル・ベルト・システム３０は、体重が９ｋｇから１８ｋｇまで、および／または身長が７４ｃｍから１０５ｃｍまでの子供を固定するように意図されている。この身長および／または体重の子供については、このインターナル・ベルト・システム３０の使用が認められており、このインターナル・ベルト・システム３０によって、対応する子供をチャイルド・シート１０内に確かに固定することができる。身長が１０５ｃｍよりも高い、および／または体重が１８ｋｇよりも重い子供をこのインターナル・ベルト・システム３０を用いてチャイルド・シート１０内に固定することは、もはや認められていない。１８ｋｇを上回る、および／または身長が１０５ｃｍを上回る子供を固定するためには、車両側の安全ベルトを使用しなければならない。この車両側の安全ベルトは、そこでは特に、自動車のメンバ構造に固定式に接続されている３点式ベルトとして構成されている。基本的にはほかにも、車両側のベルト・システムを２点式ベルトとして、または当業者には有意であると思われるそれ以外のベルト・システムとして構成することも考えられ得る。このインターナル・ベルト・システム３０には、２つのショルダ・ストラップ３２、３４が含まれている。これらのショルダ・ストラップ３２、３４はそれぞれ、バック・レスト２６の一方の上側領域から、シート・ボトム１８の一方の側部領域のところまで延びている。インターナル・ベルト・システム３０には、２つのストラップ結合要素３６、３８が含まれている。これらのストラップ結合要素３６、３８は、形状係合要素として構成されている。これらのストラップ結合要素３６、３８は、特にタング・プレートとして構成されている。そこではこれらのタング・プレートが、金属製のコアとプラスチック・ケースを有していると好適である。ストラップ結合要素３６、３８はそれぞれ、ショルダ・ストラップ３２、３４の一方に接続されている。一方のストラップ結合要素３６は、一方のショルダ・ストラップ３２に接続されている。他方のストラップ結合要素３８は、他方のショルダ・ストラップ３４に接続されている。インターナル・ベルト・システム３０は、１つのクロッチ・ストラップ４０を有している。このクロッチ・ストラップ４０は、シート・ボトム１８の股の領域内に配置されている。クロッチ・ストラップ４０の一方の第１端部は、この股の領域内でシート・ベース・モジュール１２の内部へと取り廻されている。座部領域２０および背もたれ領域２８の下側の領域内で、ショルダ・ストラップ３２、３４とクロッチ・ストラップ４０は互いに接続されている。インターナル・ベルト・システム３０には、１つのベルト・バックル４２が含まれている。このベルト・バックル４２は、クロッチ・ストラップ４０の一方の第２の端部に結合されている。このベルト・バックル４２は、両方のストラップ結合要素３６、３８との形状同士の係合を利用した接続状態に入るように意図されている。このベルト・バックル４２を介して、インターナル・ベルト・システム３０を閉じることができる。ベルト・バックル４２は１つの操作要素を有しており、この操作要素は、利用者がベルト・バックル４２を開くことでインターナル・ベルト・システム３０を閉じた状態から開いた状態へと移行させるように意図されている。そこではこの操作要素が１つのプッシュ・ボタンとして構成されて、利用者がこれを押した場合に、ベルト・バックル４２に形状同士の係合を利用して接続されたストラップ結合要素３６、３８が、ベルト・バックル４２から解放され、それによりインターナル・ベルト・システム３０が開くようにすると好適である。基本的にはほかにも、この操作要素を、当業者には有意であると思われるそれ以外の方式で、例えば特にダイヤルまたは引張り要素として構成することも考えられ得る。
【００２１】
チャイルド・シート装置には、１つの取付けモジュール４４が含まれている。この取付けモジュール４４は、少なくとも１つの運用状態においてはチャイルド・シート１０を自動車シートに固定式に結合するように意図されている。この取付けモジュール４４は、ＩＳＯＦＩＸモジュールとして構成されている。取付けモジュール４４は、チャイルド・シート１０のシート・ベース・モジュール１２を自動車シートのメンバ構造と連結するように意図されている。この取付けモジュール４４を介して、チャイルド・シート１０のシート・ベース・モジュール１２を自動車シートのメンバ構造に接続することができる。取付けモジュール４４には、２つの形状係合要素４６、４８が含まれている。これらの形状係合要素４６、４８は両方ともＩＳＯＦＩＸ要素として構成されている。これらの形状係合要素４６、４８は、シート・ベース・モジュール１２の後側の領域内に配置されている。取付けモジュール４４は、１つの使用位置と１つの非使用位置とを有している。取付けモジュール４４は、取付けモジュール４４が非使用位置にあるときには、自動車シートのメンバ構造に接続されるようには意図されていない。この非使用位置においては、取付けモジュール４４を介してチャイルド・シート１０を自動車シートに結合することは不可能となっている。取付けモジュール４４の形状係合要素４６、４８は、この非使用位置においては実質的にシート・ベース・モジュール１２のハウジング１６の内部に配置されているために、これを自動車に連結することはもはや不可能である。取付けモジュール４４が使用位置にあるときには、これらの形状係合要素４６、４８が少なくとも部分的にシート・ベース・モジュール１２のハウジング１６の外部に配置されている。これらの形状係合要素４６、４８は、この使用位置においては、シート・ベース・モジュール１２のハウジング１６の後側端部を越えて突出している。そのためにハウジング１６のこの後側端部の当該地点に２つの開口部が設けられており、形状係合要素４６、４８は、これらの開口部を通りハウジング１６の内部から外へと突出できるようになっている。形状係合要素４６、４８がハウジング１６から突出しているこの使用位置においては、これらの形状係合要素４６、４８を、ここにはより詳細には図示されない自動車シートのこれらに対応するように構成された形状係合要素に、形状同士の係合を利用して接続することができる。取付けモジュール４４の形状係合要素４６、４８は、自動車シートの形状係合要素を取り巻くようになっている。取付けモジュール４４は、特にチャイルド・シート１０に子供が座っていない運用状態において、シート・ベース・モジュール１２、ひいてはチャイルド・シート１０を自動車シートに接続するように意図されている。取付けモジュール４４は特に、自動車シートの上に積載されたチャイルド・シート１０を動かないように固定するように意図されている。
【００２２】
取付けモジュール４４には、１つの操作機構５０が含まれている。この操作機構５０は、取付けモジュール４４をその使用位置とその非使用位置との間で調節するように意図されている。この操作機構５０には、１つの操作レバー５２が含まれている。この操作レバー５２は、シート・ベース・モジュール１２の前側端部に配置されている。そこではこの操作レバー５２により、ハウジングの前側端部が少なくとも部分的に閉止されるようになっている。そこでは特にこの操作レバー５２のグリップ領域５４に前側から手が届くようになっており、それにより利用者はこれを簡単に掴めるようになっている。操作レバー５２は、１つの  として構成されている。操作レバー５２は縦に長く延びている。操作レバー５２は、グリップ領域５４とは反対側の端部に２つの従動要素５６、５８を有している。基本的にはほかにも、操作レバー５２に従動要素５６、５８を１つだけ備えることも考えられ得る。これらの従動要素５６、５８は、従動スロープとして構成されている。これらの従動要素５６、５８は、グリップ領域５４とは反対側に向かってせり上がる斜面として構成されている。そこでは従動要素５６、５８が、１つの下側のストッパと１つの上側のストッパとを有している。基本的にはほかにも、これらの従動要素５６、５８を、当業者には有意であるように思われるそれ以外の方式で、例えば溝として構成することも考えられ得る。これらの従動要素５６、５８は、少なくとも１つの運用状態においては、取付けモジュール４４を調節するために、１つのクロス要素６０を従動するように意図されている。このクロス要素６０は、１本のロッド要素として構成されている。クロス要素６０は、取付けモジュール４４の形状係合要素４６、４８に連結されている。クロス要素６０は、形状係合要素４６、４８に接続されている２つの平行に延びるラック６２、６４を介して、これらの形状係合要素４６、４８に連結できるようになっている。クロス要素６０は、位置に応じて、これらのラック６２、６４の異なる一対の歯にはまり込むようになっているが、その際には、これらのラック６２、６４の軸方向への変位により、形状係合要素４６、４８を使用位置と非使用位置との間で変位させることができるようになっている。取付けモジュール４４の操作および使用位置と非使用位置との間の調節は、そこでは、従来技術より知られているこの構造方式の取付けモジュールに対応して行われることになる。
【００２３】
チャイルド・シート装置には、１つの固定装置６６が含まれている。この固定装置６６は、取付けモジュール４４とインターナル・ベルト・システム３０の同時使用を阻止するように意図されている。それにより有利なことには、チャイルド・シート１０の上に座っている子供を固定するためにインターナル・ベルト・システム３０を使用している間に、チャイルド・シート１０が取付けモジュール４４を利用して自動車シートに取り付けられてしまうことを阻止することができる。それにより、自動車側の安全ベルトを介してチャイルド・シート１０を自動車シートに取り付けることが求められることになる。それにより、チャイルド・シート１０内の子供を輸送している間の、チャイルド・シート１０の自動車シートへの不適切な、またそれにより危険な取付けを阻止することができる。この固定装置６６は、インターナル・ベルト・システム３０がその使用位置にあるときには取付けモジュール４４をその非使用位置にロックするように意図されている。インターナル・ベルト・システム３０がその使用位置からその非使用位置に移動されると、固定装置６６は取付けモジュール４４のロックを解除する。固定装置６６は、取付けモジュール４４がその使用位置にあるときには、インターナル・ベルト・システム３０をその非使用位置にロックするように意図されている。取付けモジュール４４がその使用位置からその非使用位置に移動されると、固定装置６６はインターナル・ベルト・システム３０のロックを解除する。
【００２４】
固定装置６６には、１つの収納領域６８が含まれている。この収納領域６８は、インターナル・ベルト・システム３０が非使用位置にあるときには、その少なくとも１つの部品を内部に配置させて収納可能であるように意図されている。この収納領域６８は、シート・ボトム１８の内部に配置されている。収納領域６８は、シート・ボトム１８の股の領域内に配置されている。収納領域６８は、シート・ベース・モジュール１２の内部にまで延びている。収納領域６８は、ベルト・バックル４２がその内部に収納されるように意図されている。その際には、クロッチ・ストラップ４０の少なくとも一部も同様にこの収納領域６８の内部に収納できるようになっている。収納領域６８は、張り渡されたシート・ボトム１８により形成される座部領域２０に対して、１つの開口部を通して少なくとも部分的に開口している。収納領域６８のこの開口部を介して、ベルト・バックル４２を収納するために収納領域６８の内部に挿入できるようになっている。この固定装置６６には、１つのカバー要素７０が含まれている。このカバー要素７０は、収納領域６８を少なくとも閉じた状態においては封止するように意図されている。このカバー要素７０は、１つの薄肉のカバーとして構成されている。カバー要素７０は、シート・ボトム１８に可動式に接続されている。カバー要素７０は、そこでは特にシート・ボトム１８に可倒式に結合されている。そのために固定装置６６は、１つのピボット支承部を有している。そこではこのピボット支承部が、シート・ボトム１８に設けられた、互いに対して共軸となるように心出しされた受入れ穴と、それらに対応するようにカバー要素７０に構成されたピンにより構成されている。カバー要素７０のこれらのピンは、シート・ボトム１８の受入れ穴の内部に摺動式に支承されている。
【００２５】
カバー要素７０は、開放位置と閉止位置との間で可倒式となっている。カバー要素７０は、閉止位置にあるときには収納領域６８の開口部を覆い隠すようになっている。それにより収納領域６８は封止される。そこでは、カバー要素７０がこの閉止位置にあるときには、ベルト・バックル４２を収納領域６８から取り出したり、またはその内部に収納したりすることは不可能である。カバー要素７０は、開放位置においては、この閉止位置から起こされた状態にある。この開放位置において、カバー要素７０は収納領域６８の開口部を露出させる。そこでは、カバー要素７０がこの開放位置にあるときに、ベルト・バックル４２を収納領域６８から取り出したり、またはそこに挿入したりすることができるようになっている。
【００２６】
固定装置６６には、１つのブロック要素７２が含まれている。このブロック要素７２は、少なくとも１つの運用状態においてはカバー要素７０をロックするように意図されている。このブロック要素７２は、カバー要素７０をその閉止位置にロックするように意図されている。このブロック要素７２は、取付けモジュール４４がその非使用位置にないときには、カバー要素７０を閉止位置にロックするように意図されている。取付けモジュール４４がその使用位置にある場合、すなわち形状係合要素４６、４８が繰り出されている場合は、カバー要素７０が閉止位置にあり、それにより収納領域６８は封止されている。それによって、取付けモジュール４４が使用位置にあるときには、ベルト・バックル４２を収納領域６８から取り出せてしまうことで、インターナル・ベルト・システム３０がその非使用位置からその使用位置へと移行してしまうことを阻止することができる。それにより特に、取付けモジュール４４を使用している間のインターナル・ベルト・システム３０の不適切な使用を阻止することができる。このブロック要素７２は、１つのロッカ・アームとして構成されている。ブロック要素７２は、シート・ベース・モジュール１２の内部に揺動可能に支承されている。ブロック要素７２の一方の第１の下側の端部のところには、１つの接触領域７６が構成されている。この接触領域７６は、少なくとも１つの状態においては、取付けモジュール４４の少なくとも１つの部品との接触状態に入るように意図されている。この接触領域７６は、形状係合要素４６、４８に連結されている取付けモジュール４４の１つの可動部品と接触するように意図されている。ブロック要素７２は、カバー要素７０をロックするために、一方の第２の上側の端部のところに１つのブロック領域７８を有している。そこではこのブロック領域７８に例えば形状係合要素が含まれており、これらが、ロック位置においては、これらと対応するように構成されたカバー要素７０の形状係合要素との形状同士の係合を利用した接触状態に入ることによって、カバー要素７０がロックされるようにしてもよい。取付けモジュール４４が非使用位置にあるときに、この接触領域７６は取付けモジュール４４との接触状態にある。そこでは、取付けモジュール４４がこの非使用位置にあるときには、ブロック要素７２が偏倚されるようになっている。取付けモジュール４４のこの非使用位置においては、ブロック要素７２がそのロック解除位置に偏倚されている。ブロック要素７２は、そのロック解除位置においては、カバー要素７０を解放する。取付けモジュール４４が非使用位置にあるときに、ブロック領域７８はカバー要素７０との接触状態にはなく、それによりカバー要素７０をロックすることはない。取付けモジュール４４が使用位置にあるときに、接触領域７６は取付けモジュール４４とは接触しない。取付けモジュール４４のこの使用位置において、ブロック要素７２はその偏移されない定位置にある。この定位置にあるときに、ブロック要素７２はそのロック位置にある。このロック位置において、ブロック要素７２はカバー要素７０をその閉止位置にロックする。偏倚されていない定位置、すなわちロック位置において、ブロック領域７８はカバー要素７０と接触しており、それによりこれをロックする。固定装置６６には、ブロック要素７２にばね力を作用させる、より詳細には図示されない１つのばね要素が含まれている。このばね要素からブロック要素７２に作用する力は、ブロック要素７２をその定位置に移動させ、これをそこに保持するように意図されている。
【００２７】
固定装置６６には、１つのロッキング要素７４が含まれている。このロッキング要素７４は、収納領域６８の内部に配置されている。このロッキング要素７４は、ベルト・システム３０の１つの部品により作動されるように意図されている。このロッキング要素７４は、ベルト・バックル４２により作動されるように意図されている。このロッキング要素７４は、１つのロック位置と１つのロック解除位置とを有している。ロッキング要素７４は、非作動状態においてはそのロック位置にある。インターナル・ベルト・システム３０が使用位置にあり、それによりベルト・バックル４２が収納領域６８の内部には配置されていない場合は、ロッキング要素７４は作動されず、それによりそのロック位置にある。ロッキング要素７４は、作動状態においてはそのロック解除位置にある。ベルト・バックル４２が適正な方式で収納領域６８の内部に配置されている場合は、ロッキング要素７４がベルト・バックル４２により作動されて、そのロック解除位置に移動される。ベルト・バックル４２が収納領域６８の内部に適正に配置されていない、例えば収納領域６８の内部に完全には配置されていない場合は、ロッキング要素７４が作動されることはない。
【００２８】
ロッキング要素７４は、そのロック位置においては、取付けモジュール４４をその非使用位置にロックする。取付けモジュール４４がロッキング要素７４によりロックされる場合は、取付けモジュール４４の形状係合要素４６、４８を介して、チャイルド・シート１０を自動車シートに接続することは不可能である。ロッキング要素７４がロック解除位置にあるときには、取付けモジュール４４のロックは解除されており、取付けモジュール４４をその非使用位置とその使用位置との間で調節することができる。ベルト・バックル４２が収納領域６８の内部に適正に配置されている場合は、ロッキング要素７４により取付けモジュール４４はロックされる。
【００２９】
ロッキング要素７４は、ばね力が負荷される要素として構成されている。固定装置６６には、ロッキング要素７４にばね力を作用させる１つのばね要素８２が含まれている。ロッキング要素７４は、このばね要素８２によりそのロック位置に押し付けられている。ロッキング要素７４は、１つの可倒式要素として構成されている。ロッキング要素７４は、シート・ベース・モジュール１２の内部に揺動可能に支承されている。そのためにロッキング要素７４は、互いに対して共軸で延びる２本の軸受ピンを構成しており、これらは、シート・ベース・モジュール１２のより詳細には図示されない、これらに対応する滑り軸受受入れ部の内部に支承されている。ロッキング要素７４は、これが定位置にあるときには、ロックされた状態となっており、その１つのブロック領域は、ばね要素８２により押し付けられて操作レバー５２と接触している。それにより操作レバー５２はロッキング要素７４によってブロッキングされて、取付けモジュール４４を非使用位置から使用位置へと移動させるのは不可能となっている。固定装置６６は、ロッキング要素７４を作動させるように意図されている１つの作動要素８４を有している。この作動要素８４は１本のピンからなり、その上面には１つの平坦な接触領域８６が構成されている。この接触領域８６は、収納領域６８に配置されている。作動要素８４は、軸方向に変位可能であるようにシート・ベース・モジュール１２の内部に支承されている。作動要素８４は、１つのばね要素８８により、１つの上側の位置へと押し付けられており、この位置においては、ロッキング要素７４が作動要素８４により作動されないようになっている。ベルト・バックル４２が収納領域６８の内部に適正に挿入されると、作動要素８４はベルト・バックル４２により下向きに偏倚され、それによりロッキング要素７４を作動させる。ロッキング要素７４は、作動されるとそのロック解除位置に旋回されて、ロッキング要素７４と操作レバー５２との間の形状同士の係合を利用した接続状態が解除されるが、それにより操作レバー５２を利用して取付けモジュール４４を調節することができる。
【符号の説明】
【００３０】
１０…チャイルド・シート、１２…シート・ベース・モジュール、１４…メンバ構造、１６…ハウジング、１８…シート・ボトム、２０…座部領域、２２…アーム・レスト、２４…アーム・レスト、２６…バック・レスト、２８…背もたれ領域、３０…インターナル・ベルト・システム、３２…ショルダ・ストラップ、３４…ショルダ・ストラップ、３６…ストラップ結合要素、３８…ストラップ結合要素、４０…クロッチ・ストラップ、４２…ベルト・バックル、４４…取付けモジュール、４６…形状係合要素、４８…形状係合要素、５０…操作機構、５２…操作レバー、５４…グリップ領域、５６…従動要素、５８…従動要素、６０…クロス要素、６２…ラック、６４…ラック、６６…固定装置、６８…収納領域、７０…カバー要素、７２…ブロック要素、７４…ロッキング要素、７６…接触領域、７８…ブロック領域、８２…ばね要素、８４…作動要素、８６…接触領域、８８…ばね要素。
【図１】
0006463791.tif 000002
【図２】
0006463791.tif 000003
【図３】
0006463791.tif 000004
【図４】
0006463791.tif 000005
【図５】
0006463791.tif 000006
【図６】
0006463791.tif 000007